(57)【要約】【課題】ユーザの内臓脂肪面積と皮下脂肪面積から、ユーザに内臓脂肪蓄積状態を分かりやすく伝える内臓脂肪年齢を算出する内臓脂肪情報演算装置を提供する。【解決手段】ユーザの内臓脂肪蓄積状態を演算する内臓脂肪情報演算装置であって、ユーザの健診情報を入力する入力部と、ユーザの内臓脂肪面積と皮下脂肪面積とに基づいて内臓脂肪年齢を算出するための内臓脂肪年齢算出式が格納されたデータベースと、を備え、入力部には、少なくともユーザの内臓脂肪面積と皮下脂肪面積とが入力され、内臓脂肪演算装置は、入力された内臓脂肪面積と入力された皮下脂肪面積との和に対するユーザの内臓脂肪面積の割合を算出する内臓脂肪面積割合算出部と、算出された内臓脂肪面積の割合を、データベースに格納されている内臓脂肪年齢算出式に代入し、内臓脂肪年齢を算出する内臓脂肪年齢算出部とを備えることを特徴とする。【選択図】図１
2010029547.tif 000002
【特許請求の範囲】
【請求項１】
ユーザの内臓脂肪蓄積状態を演算する内臓脂肪情報演算装置であって、
ユーザの健診情報を入力する入力部と、
前記ユーザの内臓脂肪面積と皮下脂肪面積とに基づいて内臓脂肪年齢を算出するための内臓脂肪年齢算出式が格納されたデータベースと、を備え、
前記入力部には、少なくともユーザの内臓脂肪面積と皮下脂肪面積とが入力され、
前記内臓脂肪演算装置は、
前記入力された内臓脂肪面積と前記入力された皮下脂肪面積との和に対する前記ユーザの内臓脂肪面積の割合を算出する内臓脂肪面積割合算出部と、
前記算出された内臓脂肪面積の割合を、前記データベースに格納されている前記内臓脂肪年齢算出式に代入し、前記内臓脂肪年齢を算出する内臓脂肪年齢算出部とを備えることを特徴とする内臓脂肪情報演算装置。
【請求項２】
前記データベースは、少なくとも複数の健診者の年齢と、内臓脂肪面積と、皮下脂肪面積とを含む、健診情報を格納し、
前記内臓脂肪情報演算装置は、前記ユーザの内臓脂肪面積の割合を、前記ユーザの年齢をパラメタとする２次方程式で近似し、前記近似式に基づいて前記内臓脂肪年齢算出式を作成することを特徴とする請求項１に記載の内臓脂肪情報演算装置。
【請求項３】
前記データベースは、少なくとも複数の健診者の年齢と、内臓脂肪面積と、皮下脂肪面積とを含む、健診情報を格納し、
前記内臓脂肪演算装置は、
前記データベースから前記複数の健診者の内臓脂肪面積及び皮下脂肪面積の情報を取得し、前記取得された内臓脂肪面積と前記取得された皮下脂肪面積との和を示す全脂肪面積を算出する全脂肪面積算出部と、
前記データベースから前記複数の健診者の年齢の情報を取得し、前記取得された複数の健診者の年齢を所定の区分に分類し、前記分類された区分ごとに年齢の平均値を算出する年齢区分編集部と、
前記分類された区分ごとに前記全脂肪面積の回帰係数を算出する回帰係数算出部と、
前記分類された区分ごとに、年齢の平均値と前記全脂肪面積の回帰係数との関係に基づいて近似式を作成する近似式作成部と、
前記作成された近似式に基づいて前記全脂肪面積に対する前記内臓脂肪面積の割合を入力値とする前記内臓脂肪面積算出式を作成する算出式作成部とを備えることを特徴とする請求項１に記載の内臓脂肪情報演算装置。
【請求項４】
前記回帰係数算出部は、前記内臓脂肪面積を目的変数とし、前記全脂肪面積を説明変数として、定数項なしの回帰分析を行うことによって、前記全脂肪面積の回帰係数を算出することを特徴とする請求項３に記載の内臓脂肪情報演算装置。
【請求項５】
前記内臓脂肪情報演算装置は、前記内臓脂肪年齢算出部で算出された前記内臓脂肪年齢と前記入力部に入力された前記ユーザの年齢との差を算出する年齢差算出部を備えることを特徴とする請求項１に記載の内臓脂肪情報演算装置。
【請求項６】
前記内臓脂肪情報演算装置は、前記入力部に入力された前記ユーザの内臓脂肪面積に基づいて、内臓脂肪肥満であるか否かを判定する内臓脂肪肥満判定部を備えることを特徴とする請求項１に記載の内臓脂肪情報演算装置。
【請求項７】
前記内臓脂肪情報演算装置は、前記算出された内臓脂肪年齢を表示する表示部を備えることを特徴とする請求項１に記載の内臓脂肪情報演算装置。
【請求項８】
ユーザの内臓脂肪蓄積状態を演算する内臓脂肪情報演算装置であって、
前記ユーザの健診情報を入力する入力部と、
前記ユーザの腹囲に基づいて内臓脂肪面積推定値を算出するための内臓脂肪面積推定式と、前記ユーザの腹囲に基づいて皮下脂肪面積推定値を算出するための皮下脂肪面積推定式と、前記算出された内臓脂肪面積推定値と前記算出された皮下脂肪面積推定値とに基づいて内臓脂肪年齢を算出するため内臓脂肪年齢算出式とが格納されたデータベースと、を備え、
前記入力部には、少なくともユーザの腹囲が入力され、
前記内臓脂肪情報演算装置は、
前記入力されたユーザの腹囲を、前記データベースに格納されている前記内臓脂肪面積推定式と前記皮下脂肪面積推定式とに代入し、前記内臓脂肪面積推定値と前記皮下脂肪面積推定値とを算出する腹部脂肪面積推定値算出部と、
前記算出された内臓脂肪面積推定値と前記算出された皮下脂肪面積推定値との和に対する前記ユーザの内臓脂肪面積の割合を算出する内臓脂肪面積割合算出部と
前記算出された内臓脂肪面積の割合を、前記データベースに格納されている前記内臓脂肪年齢算出式に代入し、前記内臓脂肪年齢を算出する内臓脂肪年齢算出部とを備えることを特徴とする内臓脂肪情報演算装置。
【請求項９】
前記内臓脂肪情報演算装置は、前記内臓脂肪年齢算出部で算出された前記内臓脂肪年齢と前記入力部に入力された前記ユーザの年齢との差を算出する年齢差算出部を備えることを特徴とする請求項８に記載の内臓脂肪情報演算装置。
【請求項１０】
前記内臓脂肪情報演算装置は、前記腹部脂肪面積推定値算出部で算出された前記内臓脂肪面積推定値に基づいて、内臓脂肪肥満であるか否かを判定する内臓脂肪肥満判定部を備えることを特徴とする請求項８に記載の内臓脂肪情報演算装置。
【請求項１１】
前記データベースは、前記ユーザの健診情報が入力された日時を格納し、
前記内臓脂肪情報演算装置は、前記算出された内臓脂肪年齢の日々の変化を表示する表示部を備えることを特徴とする請求項８に記載の内臓脂肪情報演算装置。
【請求項１２】
前記データベースは、少なくとも複数の健診者の腹囲と、内臓脂肪面積と、皮下脂肪面積とを含む、健診情報を格納し、
前記内臓脂肪情報演算装置は、前記データベースから前記複数の健診者の腹囲、内臓脂肪面積、及び皮下脂肪面積の情報を取得し、前記取得された内臓脂肪面積及び皮下脂肪面積を目的変数とし、前記取得された腹囲を説明変数として回帰分析を行い、前記内臓脂肪面積推定式及び前記皮下脂肪面積推定式を作成する腹部脂肪面積推定式作成部を備えることを特徴とする請求項８に記載の内臓脂肪情報演算装置。
【請求項１３】
ユーザの内臓脂肪蓄積状態を演算する内臓脂肪情報演算装置であって、
前記ユーザの健診情報を入力する入力部と、
前記ユーザの腹囲に基づいて全脂肪面積推定値を算出するための全脂肪面積推定式と、前記ユーザの皮下脂肪面積と前記算出された全脂肪面積推定値とに基づいて内臓脂肪年齢を算出するための内臓脂肪年齢算出式とが格納されたデータベースとを備え、
前記入力部には、少なくともユーザの腹囲と皮下脂肪面積とが入力され、
前記内臓脂肪情報演算装置は、
前記入力部に入力された前記ユーザの腹囲を、前記データベースに格納されている前記全脂肪面積推定式に代入し、前記全脂肪面積推定値を算出する全脂肪面積推定値算出部と、
前記算出された全脂肪面積推定値と前記入力部に入力された前記ユーザの皮下脂肪面積に基づいて内臓脂肪面積の割合を算出する内臓脂肪面積割合算出部と、
前記算出された内臓脂肪面積の割合を、前記データベースに格納されている前記内臓脂肪年齢算出式に代入し、前記内臓脂肪年齢を算出する内臓脂肪年齢算出部とを備えることを特徴とする内臓脂肪情報演算装置。
【請求項１４】
前記内臓脂肪情報演算装置は、前記内臓脂肪年齢算出部で算出された前記内臓脂肪年齢と前記入力部に入力された前記ユーザの年齢との差を算出する年齢差算出部を備えることを特徴とする請求項１３に記載の内臓脂肪情報演算装置。
【請求項１５】
前記内臓脂肪情報演算装置は、
前記全脂肪面積推定値算出部で算出された前記全脂肪面積推定値と、前記入力部に入力された前記ユーザの皮下脂肪面積とに基づいて内臓脂肪面積推定値を算出する内臓脂肪面積推定値算出部と、
前記内臓脂肪面積推定値算出部で算出された前記内臓脂肪面積推定値に基づいて、内臓脂肪肥満であるか否かを判定する内臓脂肪肥満判定部とを備えることを特徴とする請求項１３に記載の内臓脂肪情報演算装置。
【請求項１６】
前記データベースは、前記ユーザの健診情報が入力された日時を格納し、
前記内臓脂肪情報演算装置は、前記算出された内臓脂肪年齢の日々の変化を表示する表示部を備えることを特徴とする請求項１３に記載の内臓脂肪情報演算装置。
【請求項１７】
前記データベースは、少なくとも複数の健診者の腹囲と、内臓脂肪面積と、皮下脂肪面積とを含む健診情報を格納し、
前記内臓脂肪情報演算装置は、
前記データベースから前記複数の健診者の腹囲、内臓脂肪面積、及び皮下脂肪面積の情報を取得し、前記取得された内臓脂肪面積と皮下脂肪面積との和である全脂肪面積を算出する全脂肪面積算出部と、
前記算出された全脂肪面積を目的変数とし、前記取得された腹囲を説明変数として回帰分析を行い、前記全脂肪面積推定式を作成する全脂肪面積推定式作成部とを備えることを特徴とする請求項１３に記載の内臓脂肪情報演算装置。
【請求項１８】
ユーザの健診情報を入力する入力部と、少なくとも複数のユーザの年齢と、内臓脂肪面積と、皮下脂肪面積とを含む、健診情報が格納されているデータベースと、前記入力部に入力された情報に基づいて内臓脂肪蓄積状態を演算する演算部と、を備える内臓脂肪情報演算装置に内臓脂肪年齢を算出させ、内臓脂肪肥満であるか否かを判定させる内臓脂肪算出プログラムであって、
前記内臓脂肪算出プログラムは、
前記データベースから複数の健診者の年齢の情報を取得する手順と、
前記主とされた複数の健診者の内臓脂肪面積と皮下脂肪面積との和である全脂肪面積を算出する手順と、
前記算出された全脂肪面積と前記入力部に入力された内臓脂肪面積とに基づいて前記全脂肪面積に対する前記内臓脂肪面積の割合を算出する手順と、
前記取得された複数の健診者の年齢を所定の区分に分類し、前記分類された区分ごとに年齢の平均値を算出する手順と、
前記分類された区分ごとに、前記内臓脂肪面積を目的変数とし、前記全脂肪面積を説明変数として、定数項なしの回帰分析を行い、前記全脂肪面積の回帰係数を算出する手順と、
前記分類された区分ごとに、前記算出された年齢の平均値と前記算出された全脂肪面積の回帰係数との関係に基づいて近似式を作成する手順と、
前記作成された近似式に基づいて前記全脂肪面積に対する前記内臓脂肪面積の割合を入力値とする内臓脂肪年齢算出式を作成する手順と、
前記入力部に入力されたユーザの内臓脂肪面積と皮下脂肪面積との和に対する前記ユーザの内臓脂肪面積の割合を算出する手順と、
前記作成された内臓脂肪面積算出式に、前記算出された内臓脂肪面積の割合を代入することによって、内臓脂肪年齢を算出する手順と、
前記算出された内臓脂肪年齢と前記入力部に入力された前記ユーザの年齢との差を算出する手順と、
前記入力部に入力された前記ユーザの内臓脂肪面積に基づいて内臓脂肪肥満であるか否かを判定する手順とを前記内臓脂肪情報演算装置に実行させる内臓脂肪算出プログラム。
【請求項１９】
ユーザの健診情報を入力する入力部と、内臓脂肪年齢を算出する内臓脂肪年齢算出式と、前記ユーザの腹囲に基づいて内臓脂肪面積推定値を算出する内臓脂肪面積推定式と、前記ユーザの腹囲に基づいて皮下脂肪面積推定値を算出する皮下脂肪面積推定式が格納されたデータベースと、前記入力部に入力された情報に基づいて内臓脂肪蓄積状態を演算する演算部と、を備える内臓脂肪情報演算装置に内臓脂肪年齢を算出させ、内臓脂肪肥満であるか否かを判定させる内臓脂肪算出プログラムであって、
前記内臓脂肪算出プログラムは、
前記入力部に入力されたユーザの腹囲を、前記データベースに格納されている前記内臓脂肪面積推定式と前記皮下脂肪面積推定式とに代入することによって、前記内臓脂肪面積推定値と前記皮下脂肪面積推定値とを算出する手順と、
前記算出された内臓脂肪面積推定値と前記算出された皮下脂肪面積推定値との和に対する前記ユーザの内臓脂肪面積割合を算出する手順と、
前記算出された内臓脂肪面積割合を、前記データベースに格納されている前記内臓脂肪年齢算出式に代入し、前記内臓脂肪年齢を算出する手順と、
前記内臓脂肪年齢算出部で算出された前記内臓脂肪年齢と前記入力部に入力された前記ユーザの年齢との差を算出する手順と、
前記算出された前記内臓脂肪面積推定値に基づいて、内臓脂肪肥満であるか否かを判定する手順とを前記内臓脂肪情報演算装置に実行させる内臓脂肪算出プログラム。
【請求項２０】
ユーザの健診情報を入力する入力部と、内臓脂肪年齢を算出する内臓脂肪年齢算出式と、前記ユーザの腹囲に基づいて全脂肪面積推定値を算出する全脂肪面積推定式とが格納されたデータベースと、前記入力部に入力された情報に基づいて内臓脂肪蓄積状態を演算する演算部と、を備える内臓脂肪情報演算装置に内臓脂肪年齢を算出させ、内臓脂肪肥満であるか否かを判定させる内臓脂肪算出プログラムであって、
前記内臓脂肪算出プログラムは、
前記入力部に入力された前記ユーザの腹囲を、前記データベースに格納されている前記全脂肪面積推定式に代入することによって、前記全脂肪面積推定値を算出する手順と、
前記算出された全脂肪面積推定値と前記入力部に入力された前記ユーザの皮下脂肪面積とに基づいて内臓脂肪面積の割合を算出する手順と、
前記算出された内臓脂肪面積の割合を、前記データベースに格納されている前記内臓脂肪年齢算出式に代入し、前記内臓脂肪年齢を算出する手順と、
前記算出された前記内臓脂肪年齢と前記入力部に入力された前記ユーザの年齢との差を算出する手順と、
算出された前記全脂肪面積推定値と、前記入力部に入力された前記ユーザの皮下脂肪面積とに基づいて内臓脂肪面積推定値を算出する手順と、
前記算出された前記内臓脂肪面積推定値に基づいて内臓脂肪肥満であるか否かを判定する手順とを前記内臓脂肪情報演算装置に実行させる内臓脂肪算出プログラム。
【発明の詳細な説明】
【技術分野】
【０００１】
本発明は、健診情報の分析結果からユーザの内臓脂肪蓄積状態を分かりやすく表示する内臓脂肪情報演算装置に関する。
【背景技術】
【０００２】
ユーザの体や健康の状態を分かりやすく伝える指標として、体年齢、脳年齢、バランス年齢等がある。また、近年注目されているメタボリックシンドロームの主要因である内臓脂肪の蓄積状態を分かりやすく伝える指標として、内臓脂肪年齢がある。
【０００３】
例えば、Ｘ線ＣＴ等で測定された内臓脂肪面積に基づいて、内臓脂肪年齢を算出し、算出された内臓脂肪年齢を表示する装置がある（例えば、特許文献１参照）。具体的には、特許文献１に記載されている装置は、内臓脂肪面積と年齢との関係を分析して、回帰式を
内臓脂肪年齢＝Ａ×内臓脂肪面積＋Ｂ
で作成し、内臓脂肪年齢を算出する。ここで、Ａ及びＢは、係数である。
【特許文献１】特開２００３−２４２９３号公報
【発明の開示】
【発明が解決しようとする課題】
【０００４】
腹部の脂肪には、内臓脂肪以外に皮下脂肪がある。ある多数の集団の健診情報を用いて、年齢と、内臓脂肪面積及び皮下脂肪面積との関係を分析した例では、年齢と内臓脂肪面積との相関係数は０．０６と低く、一方、年齢と皮下脂肪面積との相関係数は−０．２２となり、皮下脂肪面積は内臓脂肪面積より年齢と高い相関を示す。
【０００５】
特に、若い人では、内臓脂肪面積に比べて皮下脂肪面積が大きい傾向があり、皮下脂肪面積を考慮して内臓脂肪年齢を算出した方がよいと考えられる。
【０００６】
しかし、前述した従来技術では、皮下脂肪面積が考慮されていない。そのため、ユーザが年齢相応の内臓脂肪蓄積状態であっても実年齢相当の内臓脂肪年齢が表示されず、ユーザに誤解を与える場合があることが問題となる。
【０００７】
本発明は、皮下脂肪面積も考慮した内臓脂肪年齢算出式を作成し、ユーザの内臓脂肪蓄積状態を適切に表す内臓脂肪年齢を算出する内臓脂肪情報演算装置を提供することを目的とする。
【課題を解決するための手段】
【０００８】
本発明の代表的な一例を示せば以下の通りである。すなわち、ユーザの内臓脂肪蓄積状態を演算する内臓脂肪情報演算装置であって、ユーザの健診情報を入力する入力部と、前記ユーザの内臓脂肪面積と皮下脂肪面積とに基づいて内臓脂肪年齢を算出するための内臓脂肪年齢算出式が格納されたデータベースと、を備え、前記入力部には、少なくともユーザの内臓脂肪面積と皮下脂肪面積とが入力され、前記内臓脂肪演算装置は、前記入力された内臓脂肪面積と前記入力された皮下脂肪面積との和に対する前記ユーザの内臓脂肪面積の割合を算出する内臓脂肪面積割合算出部と、前記算出された内臓脂肪面積の割合を、前記データベースに格納されている前記内臓脂肪年齢算出式に代入し、前記内臓脂肪年齢を算出する内臓脂肪年齢算出部とを備えることを特徴とする。
【発明の効果】
【０００９】
本発明の一実施の形態によれば、内臓脂肪面積だけでなく、皮下脂肪面積と年齢との関係も考慮できるため、ユーザの内臓脂肪蓄積状態をより適切に表現する内臓脂肪年齢を算出できる。
【発明を実施するための最良の形態】
【００１０】
［第１の実施の形態］
本発明の第１の実施の形態について説明する。第１の実施の形態では、Ｘ線ＣＴ等で測定されたユーザの内臓脂肪面積及び皮下脂肪面積を内臓脂肪情報演算装置に入力すると、ユーザの内臓脂肪蓄積状態を適切に表す内臓脂肪年齢を表示する内臓脂肪情報演算装置について説明する。
【００１１】
本発明の第１の実施の形態の内臓脂情報演算装置は、ＣＰＵとメモリと不揮発性記憶媒体とから構成される。不揮発性記憶媒体は、複数のユーザの健診情報、内臓情報演算装置を実現するプログラム、及び内臓脂肪情報演算装置が算出した結果などを格納し、例えば、磁気ディスクまたは不揮発性メモリなどである。メモリは、不揮発性記憶媒体に格納されているプログラムを展開する。ＣＰＵは、メモリに展開されたプログラムを実行する。以下で説明する処理、及び演算はＣＰＵが実行している。
【００１２】
図１は、本発明の第１の実施の形態の内臓脂肪情報演算装置の構成の一例を示すブロック図である。
【００１３】
内臓脂肪情報演算装置は、内臓脂肪情報演算端末１０１とデータベース１０６とから構成される。
【００１４】
内臓脂肪情報演算端末１０１は、入力部１０２、内臓脂肪情報作成部１０３、出力部１０４、及び算出式作成部１０５を備える。
【００１５】
入力部１０２は、Ｘ線ＣＴ装置等の画像診断装置から画像を取り込むインタフェース、マウス、及びキーボードなどのである。出力部１０４は、内臓脂肪情報演算装置１００が算出した結果を表示するディスプレイなどである。
【００１６】
算出式作成部１０５は、全脂肪面積算出部１１０、回帰係数算出部１１１、近似式作成部１１２、及び年齢区分編集部１１５を備える。
【００１７】
全脂肪面積算出部１１０は、内臓脂肪面積と皮下脂肪面積とを足し合わせて全脂肪面積を算出する。年齢区分編集部１１５は、データベース１０６に格納されている複数のユーザを所定の年齢ごとに区分し、区分ごとの年齢の平均値を算出する。回帰係数算出部１１１は、前記年齢区分編集部１１５によって区分された年齢区分ごとに、年齢区分に含まれる対象者全員のデータを用いて、内臓脂肪年齢を目的変数とし、内臓脂肪面積を説明変数として回帰分析を行い、全脂肪面積の回帰係数を算出する。近似式作成部１１２は、全脂肪面積に対する内臓脂肪面積の割合（内臓脂肪面積割合）と年齢の平均値との関係を表す近似式を作成する。また、算出式作成部１０５は、近似式作成部１１２で作成された近似式を用いて、内臓脂肪面積割合を入力値とする内臓脂肪年齢算出式を作成する。
【００１８】
内臓脂肪情報作成部１０３は、内臓脂肪年齢算出部１０７、実年齢との差算出部１０８、内臓脂肪肥満判定部１０９、及び、内臓脂肪面積割合算出部１１４を備える。
【００１９】
内臓脂肪面積割合算出部１１４は、入力部１０２で入力されたユーザの内臓脂肪面積と皮下脂肪面積とから、全脂肪面積に対する内臓脂肪面積の割合を示す内臓脂肪面積割合を算出する。内臓脂肪年齢算出部１０７は、算出式作成部１０５で作成された内臓脂肪算出式にユーザの内臓脂肪面積割合を代入し、内臓脂肪年齢を算出する。実年齢との差算出部１０８は、入力部１０２から入力されたユーザの実年齢と内臓脂肪年齢算出部１０７で算出された内臓脂肪年齢との差を算出する。内臓脂肪肥満判定部１０９は、入力部１０２から入力されたユーザの内臓脂肪面積に基づいて内臓脂肪肥満を判定する。。
【００２０】
データベース１０６は、健診情報管理部１２０、回帰係数管理部１２２、算出式情報管理部１２３、及び内臓脂肪情報管理部１２５を備える。
【００２１】
健診情報管理部１２０は、ユーザごとに健診情報を管理する。回帰係数管理部１２２は、回帰係数算出部１１１で算出された年齢区分ごとの年齢の平均値と全脂肪面積の回帰係数を管理する。算出式情報管理部１２３は、近似式作成部１１２で作成された近似式と、算出式作成部１０５で作成された内臓脂肪年齢算出式とを管理する。内臓脂肪情報管理部１２５は、ユーザの内臓脂肪面積、皮下脂肪面積、実年齢、内臓脂肪年齢算出部１０７で算出された内臓脂肪年齢、実年齢との差算出部１０８で算出されたユーザの実年齢と内臓脂肪年齢算出部１０７で算出された内臓脂肪年齢との差、及び、内臓脂肪肥満判定部１０９の判定結果を管理する。なお、データベース１０６は、前述した情報以外のデータを管理してもよい。
【００２２】
図２は、本発明の第１の実施の形態の健診情報管理部１２０によって管理される健診情報の一例を示す図である。
【００２３】
健診情報管理部１２０は、健診ＩＤ２０１、個人ＩＤ２０２、受診日２０３、性別２０４、健診受診時の年齢２０５、体重２０６、身長２０７、ＢＭＩ２１２、腹囲２０８、内臓脂肪面積２１３、皮下脂肪面積２１４、体脂肪率２０９、空腹時血糖２１０、及び最高血圧２１１を管理する。
【００２４】
健診ＩＤ２０１、個人ＩＤ２０２、受診日２０３、性別２０４、及び健診受信時の年齢２０５は基本項目として管理されている。また、健診受診時の年齢２０５、体重２０６、身長２０７、ＢＭＩ２１２、腹囲２０８、内臓脂肪面積２１３、皮下脂肪面積２１４、体脂肪率２０９、空腹時血糖２１０、及び最高血圧２１１は、検査項目として管理されている。
【００２５】
健診ＩＤ２０１は、健診情報を特定するための情報である。個人ＩＤ２０２は、個人を特定するための情報である。ＢＭＩ３１３は、体重（ｋｇ）を身長（ｍ）の二乗で割った値である。
【００２６】
健診情報管理部２２０が管理する健診情報に基づいて後述する処理が実行されることによって、内臓脂肪情報演算装置は、年齢と、内臓脂肪面積、及び皮下脂肪面積との相関を分析でき、内臓脂肪面積と皮下脂肪面積とを考慮した内臓脂肪年齢算出式を作成できる。
【００２７】
図３は、本発明の第１の実施の形態の内臓脂肪情報演算装置における処理の流れを示すシーケンス図である。
【００２８】
まず、内臓脂肪情報演算端末１０１は、データベース１０６の健診情報管理部１２０から健診情報を取得する（９０３）。回帰係数算出部１１１は、取得した健診情報に基づいて回帰係数情報を算出し、算出した回帰係数情報９０６をデータベース１０６の回帰係数管理部１２２に格納する（９０６）。
【００２９】
次に、内臓脂肪情報演算端末１０１は、回帰係数管理部１２２から回帰係数情報を取得する（９０７）。近似式作成部１１２は、取得された回帰係数情報に基づいて年齢の平均値と全脂肪面積の回帰係数との関係を示す近似式を作成する。さらに、算出式作成部１０５は、作成された近似式に基づいて、内臓脂肪年齢算出式を作成する。作成された近似式、及び、作成された内臓脂肪年齢算出式は算出式情報としてデータベース１０６の算出式情報管理部１２３に格納される。
【００３０】
次に、内臓脂肪情報演算端末１０１は、算出式情報管理部１２３から算出式情報を取得し（９１０）、入力部１０２に入力されたユーザデータを算出式に代入し、内臓脂肪情報を算出する。算出された内臓脂肪情報は、データベース１０６の内臓脂肪情報管理部１２５に格納される（９１１）。そして、内臓脂肪情報演算端末１０１は、内臓脂肪情報管理部１２５から内臓脂肪情報を取得し（９１２）、取得された内臓脂肪情報を出力部１０４に表示する。
【００３１】
前述したように、本発明の第１の実施の形態の内臓脂肪情報演算装置は、データベース１０６が管理する健診情報から回帰係数を算出し、近似式と内臓脂肪年齢算出式を作成する。そして、入力部１０２から入力された情報を作成された内臓脂肪年齢算出式に代入し、内臓脂肪年齢を算出する。これによって、年齢と、内臓脂肪面積及び皮下脂肪面積とを考慮した内臓脂肪年齢が分かる。
【００３２】
次に、フローチャートとシーケンス図を用いて、処理の詳細について説明する。まず、データベース１０６から取得した健診情報を用いて内臓脂肪年齢算出式を作成するまでの手順について説明する。
【００３３】
図４は、本発明の第１の実施の形態における、データベース１０６から取得した健診情報を用いて内臓脂肪年齢算出式を作成する処理の流れの一例を示すフローチャートである。
【００３４】
内臓脂肪年齢算出式の作成は、図２の健診情報が入力部１０２から入力され、データベース１０６に登録されると開始される（５０１）。登録された健診情報は、健診情報管理部１２０に管理される。
【００３５】
全脂肪面積算出ステップ５０２では、まず、内臓脂肪情報演算端末１０１が、健診情報管理部１２０から内臓脂肪面積２１３と皮下脂肪面積２１４とを取得する。次に、全脂肪面積算出部１１０が、健診ＩＤ２０１ごとに、内臓脂肪面積２１３と皮下脂肪面積２１４とを加えて全脂肪面積を算出する。
【００３６】
次に、回帰係数算出ステップ５０３では、内臓脂肪情報演算端末１０１が、健診情報管理部１２０から年齢２０５を取得する。年齢区分編集部１１５は、年齢を５歳刻みで区分し、その区分ごとに年齢の平均値を算出する。年齢区分、及び算出された区分ごとの年齢の平均値は、回帰係数管理部１２２に格納される。次に、回帰係数算出部１１１が、年齢区分ごとに、年齢区分に含まれる対象者全員のデータを用いて、内臓脂肪面積を目的変数とし、全脂肪面積算出部１１０で算出された全脂肪面積を説明変数として、定数項なしの回帰分析（内臓脂肪面積＝Ｃ×全脂肪面積）を行い、全脂肪面積の回帰係数Ｃを算出する（５０３）。算出された全脂肪面積の回帰係数Ｃは、回帰係数管理部１２２に格納される。
【００３７】
図５は、本発明の第１の実施の形態の回帰係数管理部１２２が管理する回帰係数情報の一例を示す説明図である。
【００３８】
回帰係数管理部１２２は、年齢区分３０１、年齢の平均値３０２、及び全脂肪面積の回帰係数３０３を管理する。前述したように、年齢区分編集部１１５、及び回帰係数算出部１１１によって算出された情報が格納される。
【００３９】
例えば、エントリ３１１は、年齢が３５〜３９歳の区分の年齢の平均が３７歳であり、この区分の人のデータを用いて、内臓脂肪面積を目的変数とし、全脂肪面積を説明変数として定数項なしの回帰分析を行い回帰係数を算出した場合、算出された全脂肪面積の回帰係数が０．４２であることを示している（内臓脂肪面積＝０．４２×全脂肪面積）。
【００４０】
この回帰係数情報によって、全脂肪面積の回帰係数が年齢によって異なることを考慮できる。つまり、全脂肪面積（内臓脂肪面積＋皮下脂肪面積）に対する内臓脂肪面積の割合が年齢によって異なることを考慮できるため、内臓脂肪面積と年齢との関係だけでなく、皮下脂肪面積と年齢との関係も考慮した、より適切な内臓脂肪年齢算出式を作成できる。
【００４１】
図４の説明に戻る。
【００４２】
近似式作成ステップ５０４では、まず、内臓脂肪情報演算端末１０１が、回帰係数管理部１２２から回帰係数情報を取得する。次に、近似式作成部１１２は、年齢の平均値３０２と全脂肪面積の回帰係数３０３との関係を示す近似式を作成する。
【００４３】
これによって、全脂肪面積の回帰係数３０３が年齢によって異なることを考慮することが可能になる。つまり、全脂肪面積（内臓脂肪面積＋皮下脂肪面積）に対する内臓脂肪面積の割合が年齢によって異なることを考慮できるため、内臓脂肪面積と年齢との関係だけでなく、皮下脂肪面積と年齢との関係も考慮することができる。
【００４４】
例えば、年齢の平均値３０２と、全脂肪面積の回帰係数３０３が示す内臓脂肪面積割合との関係は、年齢が高くなるにしたがって、内臓脂肪面積割合が増加するが、その増加率は小さくなる傾向がある。そこで、２次式で近似すると、近似式は、内臓脂肪面積割合＝Ｇ×年齢2＋Ｈ×年齢＋Ｉとなる。ただし、Ｇ、Ｈ及びＩは、係数である。作成された近似式は、算出式情報管理部１２３に格納される。
【００４５】
内臓脂肪年齢算出式作成ステップ５０５では、算出式作成部１０５が、近似式作成部１１２が作成した近似式から内臓脂肪面積割合を入力値とする内臓脂肪年齢算出式を作成する。近似式作成部１１２で作成された近似式が２次式であった場合、解の公式により、内臓脂肪年齢算出式は、下式となる。
【００４６】
【数１】
2010029547.tif 000003
【００４７】
作成された内臓脂肪年齢算出式は、算出式情報管理部１２３に格納される。
【００４８】
図６は、本発明の第１の実施の形態の算出式情報管理部１２３が管理する算出式情報の一例を示す説明図である。
【００４９】
算出式情報管理部１２３は、近似式４０１、及び内臓脂肪年齢算出式４０２を管理する。
【００５０】
前述したように、近似式作成部１１２、及び算出式作成部１０５によって算出された情報が格納される。
【００５１】
以上の処理よって、内臓脂肪面積だけでなく、皮下脂肪面積も考慮できるため、ユーザの内臓脂肪蓄積状態をより適切に表現する内臓脂肪年齢を算出する内臓脂肪年齢算出式を作成することができる。作成された内臓脂肪年齢算出式は、算出式情報管理部１２３に格納される。以上で内臓脂肪年齢算出式の作成が終了する（５０７）。
【００５２】
次に、入力部１０２からユーザの実年齢、内臓脂肪面積、及び皮下脂肪面積が入力され、内臓脂肪情報が表示されるまでの処理の流れについて説明する。
【００５３】
図７は、本発明の第１の実施の形態における、入力部１０２からユーザ情報が入力され、内臓脂肪情報が表示されるまでの処理の流れの一例を示すフローチャートである。
【００５４】
内臓脂肪情報演算端末１０１が処理を開始する（７０１）。
【００５５】
ユーザ情報入力ステップ７０２では、まず、内臓脂肪情報演算端末１０１が、出力部１０４に、ユーザ情報を入力する画面を表示する。
【００５６】
図８は、本発明の第１の実施の形態の出力部１０４に表示される入力画面の一例を示す説明図である。
【００５７】
出力部１０４に、ユーザ情報入力画面８２０が表示される。ユーザ情報入力画面８２０は、内臓脂肪面積入力欄８３０、皮下脂肪面積入力欄８３１、実年齢入力欄８３２、及びユーザ情報の入力を決定する実行ボタン８２１を表示する。
【００５８】
内臓脂肪情報演算端末１０１は、ユーザに入力部１０２のＸ線ＣＴ等の画像診断装置で腹部を撮影させ、腹部画像を取得する。そして、内臓脂肪情報演算端末１０１は、ユーザに、入力部１０２のマウスまたはキーボード等を用いて、腹部ＣＴ値から算出される内臓脂肪面積、皮下脂肪面積、及び実年齢を、それぞれ、内臓脂肪面積入力欄８３０、皮下脂肪面積入力欄８３１、及び、実年齢入力欄８３２に入力させ、入力が終わったら、実行ボタン８２１を操作するようにユーザに指示する。入力された内臓脂肪面積、皮下脂肪面積、及び実年齢は、内臓脂肪情報管理部１２５に格納される。
【００５９】
内臓脂肪面積割合算出ステップ７０３では、内臓脂肪面積割合算出部１１４が、ユーザ情報入力ステップ７０２で入力された内臓脂肪面積と皮下脂肪面積とから、全脂肪面積（内臓脂肪面積＋皮下脂肪面積）に対する内臓脂肪面積の割合を示す内臓脂肪面積割合を算出する。算出された内臓脂肪面積割合は、内臓脂肪情報管理部１２５に格納される。
【００６０】
内臓脂肪年齢算出ステップ７０４では、まず、内臓脂肪情報演算端末１０１が、算出式情報管理部１２３から内臓脂肪年齢算出式４０２を取得する。次に、内臓脂肪年齢算出部１０７は、取得した内臓脂肪年齢算出式４０２に、内臓脂肪面積割合算出ステップ７０３で算出された内臓脂肪面積割合を代入し、内臓脂肪年齢を算出する。算出された内臓脂肪年齢は、内臓脂肪情報管理部１２５に格納される。
【００６１】
実年齢との差算出ステップ７０５では、実年齢との差算出部１０８が、内臓脂肪年齢算出部１０７で算出された内臓脂肪年齢とユーザ情報入力ステップ７０２で入力された実年齢との差を算出する。算出された実年齢との差は、内臓脂肪情報管理部１２５に格納される。
【００６２】
内臓脂肪肥満判定ステップ７０９では、内臓脂肪肥満判定部１０９が、ユーザ情報入力ステップ７０２で入力された内臓脂肪面積に基づいて、内臓脂肪肥満であるか否かを判定する。具体的には、内臓脂肪面積が１００ｃｍ2以上の場合は内臓脂肪型肥満であると判定される。内臓脂肪面積が１００ｃｍ2未満の場合は内臓脂肪型肥満でないと判定される。判定結果は、内臓脂肪情報管理部１２５に格納される。
【００６３】
図９は、本発明の第１の実施の形態の内臓脂肪情報管理部１２５によって管理される内臓脂肪情報の一例を示す図である。
【００６４】
内臓脂肪情報管理部１２５は、ユーザの年齢６００、内臓脂肪年齢６０１、実年齢との差６０２、内臓脂肪面積６０４、皮下脂肪面積６０５、及び内臓脂肪肥満判定６０３を管理している。
【００６５】
ユーザの年齢６００、内臓脂肪面積６０４、及び皮下脂肪面積６０５には、ユーザ情報入力ステップ７０２で入力された値が格納されている。内臓脂肪年齢６０１には、内臓脂肪年齢算出ステップ７０４で算出された内臓脂肪年齢が格納される。実年齢との差６０２には、実年齢との差算出ステップ７０５で算出された実年齢との差が格納される。
【００６６】
内臓脂肪肥満判定６０３は、内臓脂肪肥満判定ステップ７０９の判定結果を格納する。
例えば、内臓脂肪肥満であると判定された場合、Ｙｅｓが格納される。また、内臓脂肪肥満でないと判定された場合、Ｎｏが格納される。
【００６７】
次に、内臓脂肪情報表示ステップ７１０では、まず、内臓脂肪情報演算端末１０１が、内臓脂肪情報管理部１２５から内臓脂肪情報を取得し、出力部１０４に表示する。
【００６８】
以下、内臓脂肪情報の表示方法について説明する。
【００６９】
図１０は、本発明の第１の実施の形態の出力部１０４に表示される内臓脂肪情報の一例を示す説明図である。
【００７０】
内臓脂肪情報演算端末１０１は、入力部１０２から入力されたユーザの腹部画像、及び内臓脂肪情報管理部１２５に格納されている情報を、出力部１０４に内臓脂肪情報表示画面８０１として表示する。
【００７１】
内臓脂肪情報表示画面８０１は、入力部１０２で撮影されたユーザの腹部画像８０４、
内臓脂肪面積表示欄８１０、皮下脂肪面積表示欄８１１、年齢表示欄８１２、内臓脂肪年齢表示欄８１３、内臓脂肪年齢と実年齢との差表示欄８１４、及び内臓脂肪肥満判定結果表示欄８１５を表示する。また、入力部１０２で撮影されたユーザの腹部画像８０４には、内臓脂肪画像８０２、及び皮下脂肪画像８０３が含まれる。
【００７２】
内臓脂肪肥満判定結果表示欄８１５の表示方法としては、内臓脂肪型肥満であると判定された場合、内臓脂肪型肥満であることを表示し、内臓脂肪型肥満でないと判定された場合、内臓脂肪型肥満でないことを表示する。
【００７３】
前述したように、回帰係数算出部１１１が、年齢区分ごとに、内臓脂肪面積を目的変数とし、全脂肪面積（内臓脂肪面積＋皮下脂肪面積）を説明変数として、定数項なしの回帰分析を行い、全脂肪面積の回帰係数が示す内臓脂肪面積割合（全脂肪面積に対する内臓脂肪面積の割合）を算出する。次に、近似式作成部１１２が、年齢区分ごとの年齢の平均値と内臓脂肪面積割合との関係を示す近似式を作成し、算出式作成部１０５が、作成された近似式から内臓脂肪面積割合を入力値とする内臓脂肪年齢算出式を作成する。これによって、年齢が高くなるにしたがって内臓脂肪面積割合が高くなる関係を考慮でき、内臓脂肪面積だけでなく、皮下脂肪面積と年齢との関係も考慮できるため、ユーザの内臓脂肪蓄積状態をより適切に表現する内臓脂肪年齢算出式を作成できる。
【００７４】
また、本発明の内臓脂肪情報演算装置は、内臓脂肪情報作成部１０３が、内臓脂肪面積割合を入力値とする内臓脂肪年齢算出式を用いて、ユーザの内臓脂肪年齢、実年齢との差を表示するので、ユーザの内臓脂肪蓄積状態を分かりやすく伝えることができる。
【００７５】
本発明の第１の実施の形態では、内臓脂肪情報演算装置が、Ｘ線ＣＴ等の画像診断装置で腹部画像を撮影させ、内臓脂肪面積及び皮下脂肪面積をマウスまたはキーボード等でユーザ情報入力画面８２０に手入力させたが、Ｘ線ＣＴ等の画像診断装置を本発明の内臓脂肪情報演算装置につないで自動入力させてもよい。また、年齢の入力ついても健診情報管理部１２０にユーザのデータが蓄積されている場合、その情報をデータベースから取り出し、自動入力させてもよい。これによって、ユーザが入力する手間を省くことができる。
【００７６】
また、本発明の第１の実施の形態では、Ｘ線ＣＴ等の画像診断装置で測定されたユーザの内臓脂肪面積、及び皮下脂肪面積を用いて内臓脂肪年齢を算出する例を説明したが、本発明はこれに限定されない。
【００７７】
例えば、ユーザが容易に計測できる腹囲から内臓脂肪面積推定値、皮下脂肪面積推定値を算出し、これらの値を用いて内臓脂肪年齢を算出してもよい。
【００７８】
前述した方法を実現するために、内臓脂肪情報演算端末１０１は、内臓脂肪面積推定式、及び皮下脂肪面積推定式を作成する腹部脂肪面積推定式作成部と、作成された内臓脂肪面積推定式、及び皮下脂肪面積推定式に、ユーザの腹囲を入力して内臓脂肪面積推定値、皮下脂肪面積推定値を算出する腹部脂肪面積推定値算出部とを備える。
【００７９】
具体的には、まず、腹部脂肪面積推定式作成部は、健診情報管理部１２０に格納される健診情報を用いて、内臓脂肪面積を目的変数とし、腹囲を説明変数として回帰分析を行い、内臓脂肪面積推定式（推定内臓脂肪面積＝Ｄ×腹囲＋Ｅ）を作成する。ただし、Ｄ及びＥは係数である。
【００８０】
同様に、腹部脂肪面積推定式作成部は、健診情報管理部１２０に格納される健診情報を用いて、皮下脂肪面積を目的変数とし、腹囲を説明変数として回帰分析を行い、皮下脂肪面積推定式（推定皮下脂肪面積＝Ｍ×腹囲＋Ｎ）を作成する。ただし、Ｍ及びＮは、係数である。
【００８１】
次に、腹部脂肪面積推定値算出部が、作成された内臓脂肪面積推定式、及び皮下脂肪面積推定式にユーザの腹囲を入力して内臓脂肪面積推定値、及び皮下脂肪面積推定値を算出する。
【００８２】
そして、内臓脂肪面積割合算出部１１４が内臓脂肪面積推定値と皮下脂肪面積推定値とから内臓脂肪面積割合を算出し、内臓脂肪年齢算出部１０７が内臓脂肪年齢算出式に算出された内臓脂肪面積割合を代入して内臓脂肪年齢を算出する。
【００８３】
このように、ユーザが容易に計測できる腹囲から内臓脂肪年齢を算出することによって、ユーザが画像診断装置を持つ病院等の施設に行って内臓脂肪面積、及び皮下脂肪面積を計測する必要がなくなり、より容易に内臓脂肪蓄積状態を把握できる。また、高価な撮影代の支払いの必要がなく、また、Ｘ線ＣＴ装置で計測した場合の被爆も回避できる。
【００８４】
また、本発明の第１の実施の形態では、Ｘ線ＣＴ等の大型の画像診断装置で測定されたユーザの内臓脂肪面積、及び皮下脂肪面積を用いて内臓脂肪年齢を算出する例を説明したが、ユーザが容易に計測できる腹囲と、赤外線または超音波等を用いた小型の計測装置で測定可能な皮下脂肪面積の入力と、を用いて内臓脂肪年齢を算出してもよい。
【００８５】
前述した方法を実現するために、内臓脂肪情報演算端末１０１は、全脂肪面積推定式を作成する全脂肪面積推定式作成部、入力部に入力されたユーザの腹囲を代入して全脂肪面積推定値を算出する全脂肪面積推定値算出部、及び、内臓脂肪面積推定値を算出する内蔵脂肪面積推定値算出部を備える。
【００８６】
具体的には、まず、全脂肪面積推定式作成部が、健診情報内の複数の腹囲２０８の情報と、全脂肪面積算出部で算出された複数の全脂肪面積の情報とを用いて、全脂肪面積を目的変数とし、腹囲を説明変数として回帰分析を行い、全脂肪面積推定式（推定全脂肪面積＝Ｐ×腹囲＋Ｑ）を作成する。ただし、Ｐ及びＱは、任意の定数である。
【００８７】
次に、全脂肪面積推定値算出部が、ユーザの腹囲２０８を、作成した全脂肪面積推定式に代入して全脂肪面積推定値を算出し、内臓脂肪面積推定値算出部が、算出された全脂肪面積推定値からユーザの皮下脂肪面積を引くことによって内臓脂肪面積推定値を算出する。
【００８８】
内臓脂肪面積割合算出部１１４は、算出された内臓脂肪面積推定値と皮下脂肪面積２１４とから内臓脂肪面積割合を算出する。
【００８９】
内臓脂肪年齢算出部１０７は、内臓脂肪年齢算出式に算出された内臓脂肪面積割合を代入して内臓脂肪年齢を算出する。
【００９０】
前述したように、容易に計測できる腹囲と、赤外線または超音波等を用いた小型の計測装置で測定可能な皮下脂肪面積から内臓脂肪年齢を算出することによって、大型の画像診断装置がなくても容易に内臓脂肪蓄積状態を把握できる効果がある。
【００９１】
また、本発明の第１の実施の形態では、回帰係数算出部１１１が、年齢区分ごとに、年齢区分に含まれる全対象者のデータを用いて、内臓脂肪面積を目的変数とし、全脂肪面積を説明変数として、定数項なしの回帰分析を行い、全脂肪面積の回帰係数が示す内臓脂肪面積割合を算出したが、年齢の区分ごとに、内臓脂肪面積割合の平均値を算出して、全脂肪面積の回帰係数としてもよい。これによって、計算を簡略化することができる。
【００９２】
［第２の実施の形態］
本発明の第２の実施の形態について図を用いて詳細に説明する。
【００９３】
本発明の第２の実施の形態は、ユーザの腹囲を入力すると、内臓脂肪面積推定値、皮下脂肪面積推定値、及び内臓脂肪年齢を表示する内臓脂肪情報演算装置について説明する。利用場面は、自動車内を想定する。
【００９４】
本発明の第２の実施の形態の内臓脂肪情報演算装置のハードウェア構成は、本発明の第１の実施の形態と同一である。
【００９５】
図１１は、本発明の第２の実施の形態の内臓脂肪情報演算装置の構成の一例を示すブロック図である。
【００９６】
内臓脂肪情報演算装置は、車内用内臓脂肪情報演算端末１１０１、及び車内用データベース１１０６から構成される。
【００９７】
車内用内臓脂肪情報演算端末１１０１は、入力部１０２、車内用内臓脂肪情報作成部１１０３、及び出力部１０４を備える。
【００９８】
入力部１０２は、タッチパネルまたはキーボードなどである。出力部１０４は、カーナビゲーション、または、車内テレビのディスプレイである。
【００９９】
車内用内臓脂肪情報作成部１１０３は、内臓脂肪年齢算出部１０７、実年齢との差算出部１０８、内臓脂肪肥満判定部１０９、内臓脂肪面積割合算出部１１４、及び、腹部脂肪面積推定値算出部１１１３を備える。
【０１００】
本発明の第２の実施の形態は、本発明の第１の実施の形態と比べて、腹部脂肪面積推定値算出部１１１３を備えることが異なる。
【０１０１】
車内用データベース１１０６は、推定式情報管理部１１２３、及び、内臓脂肪情報推移管理部１１２５を備え、また、推定式（内臓脂肪年齢算出式、内臓脂肪面積推定式、皮下脂肪面積推定式）、内臓脂肪情報（ユーザの腹囲、ユーザの実年齢、算出された内臓脂肪面積推定値、皮下脂肪面積推定値、内臓脂肪年齢、算出された内臓脂肪年齢と実年齢との差、内臓脂肪肥満判定結果）を格納する。
【０１０２】
推定式情報管理部１１２３は、推定式を管理する。内臓脂肪情報推移管理部１１２５は、入力日別に内臓脂肪情報を管理する。
【０１０３】
図１２は、本発明の第２の実施の形態の推定式情報管理部１１２３が管理する推定式情報の一例を示す説明図である。
【０１０４】
推定式情報管理部１１２３は、内臓脂肪年齢算出式４０２、内臓脂肪面積推定式１２０３、及び皮下脂肪面積推定式１２０４を管理する。これらは、内臓脂肪情報演算装置に予め設定されている。本発明の第２の実施の形態では、算出式を作成せずに、予め推定式情報管理部１１２３に管理されている推定式を用いて後述する処理を行う。以下、一連の処理をフローチャートを用いて説明する。
【０１０５】
図１３は、本発明の第２の実施の形態における、ユーザ情報の入力から内臓脂肪情報表示までの処理の流れを示すフローチャートである。
【０１０６】
車内用内臓脂肪情報演算端末１１０１が処理を開始する（１４０１）。
【０１０７】
ユーザ情報入力ステップ１４０２では、車内用内臓脂肪情報演算端末１１０１が、出力部１０４にユーザ情報を入力する画面を表示する。
【０１０８】
図１４は、本発明の第２の実施の形態の出力部１０４に表示される入力画面の一例を示す説明図である。
【０１０９】
車内用内臓脂肪情報演算端末１１０１は、出力部１０４にユーザ情報入力画面１６３０を表示する。ユーザ情報入力画面１６３０は、腹囲入力欄１６３１、実年齢入力欄８３２、及びユーザ情報の入力を決定する実行ボタン８２１を表示する。
【０１１０】
車内用内臓脂肪情報演算端末１１０１は、ユーザに、入力部１０２のタッチパネルまたはキーボード等を用いて、腹囲、及び実年齢を入力させ、入力が終わったら、実行ボタン８２１を操作するようにユーザに指示する。入力された腹囲、及び実年齢は、入力日とともに車内用データベース１１０６に格納される。
【０１１１】
内臓脂肪面積・皮下脂肪面積推定値算出ステップ１４０３では、車内用内臓脂肪情報演算端末１１０１が、推定式情報管理部１１２３から内臓脂肪面積推定式１２０３、及び皮下脂肪面積推定式１２０４を取得する。次に、腹部脂肪面積推定値算出部１１１３が、取得された内臓脂肪面積推定式１２０３と、取得された皮下脂肪面積推定式１２０４とにユーザ情報入力ステップ１４０２で入力された腹囲を代入し、内臓脂肪面積推定値と、皮下脂肪面積推定値とを算出する。
【０１１２】
内臓脂肪面積割合算出ステップ７０３では、内臓脂肪面積割合算出部１１４が、腹部脂肪面積推定値算出部１１１３で算出された内臓脂肪面積推定値と皮下脂肪面積推定値とから内臓脂肪面積割合を算出する。
【０１１３】
内臓脂肪年齢算出ステップ７０４では、車内用内臓脂肪情報演算端末１１０１が、推定式情報管理部１１２３から内臓脂肪年齢算出式４０２を取得する。次に、内臓脂肪年齢算出部１０７は、内臓脂肪年齢算出式に内臓脂肪面積割合算出部１１４で算出された内臓脂肪面積割合を代入し、内臓脂肪年齢を算出する。算出された内臓脂肪年齢は、車内用データベース１１０６に格納される。
【０１１４】
前述したように内臓脂肪面積・皮下脂肪面積推定値算出ステップ１４０３、内臓脂肪面積割合算出ステップ７０３、内臓脂肪年齢算出ステップ７０４によって、計測が容易な腹囲から内臓脂肪年齢を算出できる。
【０１１５】
内臓脂肪年齢と実年齢との差算出ステップ７０５では、実年齢との差算出部１０８が、内臓脂肪年齢算出部１０７で算出された内臓脂肪年齢と、ユーザ情報入力ステップ１４０２で入力された年齢との差を算出する。算出された内臓脂肪年齢と実年齢との差は、車内用データベース１１０６に格納される。
【０１１６】
内臓脂肪肥満判定ステップ７０９では、内臓脂肪肥満判定部１０９が、腹部脂肪面積推定値算出部１１１３で算出された内臓脂肪面積推定値に基づいて、内臓脂肪肥満の判定を行う。具体的には、内臓脂肪面積が１００ｃｍ2以上の場合を内臓脂肪型肥満であると判定される。内臓脂肪面積が１００ｃｍ2未満の場合を内臓脂肪型肥満でないと判定される。判定結果は、車内用データベース１１０６に格納される。
【０１１７】
図１５は、本発明の第２の実施の形態の車内用データベース１１０６が管理する内臓脂肪情報の一例を示す説明図である。
【０１１８】
車内用データベース１１０６は、入力日１３０６、年齢６００、内臓脂肪年齢６０１、実年齢との差６０２、腹囲１３０７、内臓脂肪面積推定値１３０４、皮下脂肪面積推定値１３０５、及び内臓脂肪肥満判定６０３を管理している。
【０１１９】
内臓脂肪肥満判定６０３は、内臓脂肪肥満判定ステップ７０９の判定結果を格納する。
例えば、内臓脂肪型肥満であると判定された場合、Ｙｅｓが格納される。また、内臓脂肪型肥満でないと判定された場合、Ｎｏが格納される。
【０１２０】
内臓脂肪情報表示ステップ１４１０では、車内用内臓脂肪情報演算端末１１０１が、内臓脂肪情報推移管理部１１２５から内臓脂肪情報を取得する。車内用内臓脂肪情報作成部１１０３は、出力部１０４に取得した内臓脂肪情報を表示する。表示方法としては、第１の実施の形態と同様の方法が考えられる。この場合、内臓脂肪情報表示画面８０１に、腹囲、内臓脂肪面積推定値、皮下脂肪面積推定値、内臓脂肪年齢、実年齢、内臓脂肪判定結果、及び推移画面へ移動するためのボタンを表示することが考えられる。
【０１２１】
推移画面へ移動するためのボタンは、日々の測定結果を表示する画面（内臓脂肪情報推移表示画面）に移動するためのボタンである。
【０１２２】
図１６は、本発明の第２の実施の形態の内臓脂肪情報推移表示画面の一例を示す説明図である。
【０１２３】
車内用内臓脂肪情報演算端末１１０１は、出力部１０４に内臓脂肪情報推移表示画面１８００を表示する。
【０１２４】
内臓脂肪情報推移表示画面１８００は、腹囲、内臓脂肪面積推定値、及び内臓脂肪年齢の日々の変化を折れ線グラフで表示する。
【０１２５】
軸１８０１は、腹囲を表す軸である。軸１８１０は、内臓脂肪面積推定値を示す軸である。軸１８２０は、内臓脂肪年齢を示す軸である。軸１８３０、軸１８３１、及び軸１８３２は、入力日を示す軸である。破線１８１８は、内臓脂肪型肥満判定基準値を示す線である。破線１８２８は、ユーザの実年齢を示す線である。
【０１２６】
折れ線グラフ１８０２は、腹囲の日々の変化を示す折れ線グラフである。折れ線グラフ１８０３は、内臓脂肪面積推定値の日々の変化を示す折れ線グラフである。折れ線グラフ１８０４は、内臓脂肪年齢の日々の変化を示す折れ線グラフである。
【０１２７】
これによって、ユーザは、日々の変化を視覚的に確認できる。
【０１２８】
また、第２の実施の形態では、推定式情報管理部１１２３が管理する内臓脂肪面積推定式及び皮下脂肪面積推定式を用いて、内臓脂肪面積推定値及び皮下脂肪面積推定値を算出したが、作成された内臓脂肪面積推定式及び皮下脂肪面積推定式を用いてもよい。
【０１２９】
具体的には、車内用データベース１１０６は、複数のユーザの健診情報を管理する健診情報管理部１２０を備え、また、車内用内臓脂肪情報作成手段１１０３は、内臓脂肪面積推定式及び皮下脂肪面積推定式を作成する腹部脂肪面積推定式作成部を備えており、腹部脂肪面積推定式作成部が健診情報を用いて内臓脂肪面積推定式及び皮下脂肪面積推定式を作成し、作成された式を推定式情報管理部１１２３に格納する。
【０１３０】
具体的な内臓脂肪面積推定式及び皮下脂肪面積推定式の作成方法としては、例えば、腹部脂肪面積推定式作成部は、健診情報管理部１２０に格納される健診情報を用いて、内臓脂肪面積を目的変数とし、腹囲を説明変数として回帰分析を行い、内臓脂肪面積推定式（推定内臓脂肪面積＝Ｄ×腹囲＋Ｅ）を作成する。ただし、Ｄ及びＥは係数である。
【０１３１】
同様に、腹部脂肪面積推定式作成部は、健診情報管理部１２０に格納される健診情報を用いて、皮下脂肪面積を目的変数とし、腹囲を説明変数として回帰分析を行い、皮下脂肪面積推定式（推定皮下脂肪面積＝Ｍ×腹囲＋Ｎ）を作成する。ただし、Ｍ及びＮは、係数である。
【０１３２】
以上に示したように、本発明の第２の実施の形態の内臓脂肪情報演算装置は、車内用内臓脂肪情報作成部１１０３が、計測が容易な腹囲から算出した内臓脂肪年齢の日々の変化を表示するので、ユーザに日々の内臓脂肪蓄積状態を分かりやすく伝えることができ、車内で容易に健康管理ができる。
【０１３３】
本発明の第２の実施の形態では、ユーザが入力部１０２から年齢を入力したが、初回使用時のみユーザが年齢と生年月日を入力し、車内用データベース１１０６に記憶させ、次回以降は、初回の年齢、生年月日、現在日から自動更新させてもよい。このようにすることによって、ユーザが入力する手間を省くことができる。
【０１３４】
また、初期使用時にユーザの年齢が登録され、内臓脂肪情報演算装置が登録された年齢を記憶し、シートベルトを利用した腹囲測定装置などを用いて腹囲を測定することによって、車に乗車しながら腹囲の測定と、内臓脂肪年齢を算出することができる。これによって、ユーザは容易に内臓脂肪情報を取得でき、また、ユーザが入力する手間を省くことができる。
【０１３５】
［第３の実施の形態］
本発明の第３の実施の形態について図を用いて詳細に説明する。ここでは、ユーザが腹囲と皮下脂肪面積とを内臓脂肪情報演算装置に入力すると、内臓脂肪面積推定値、及び内臓脂肪年齢を表示する内臓脂肪情報演算装置について説明する。利用場面は、自動車内を想定する。
【０１３６】
図１７は、本発明の第３の実施の形態の内臓脂肪情報演算装置の構成の一例を示す図である。
【０１３７】
内臓脂肪情報演算装置は、車内用内臓脂肪情報演算端末１９０１と車内用データベース１９０６とから構成される。
【０１３８】
車内用内臓脂肪情報演算端末１９０１は、入力部１０２、出力部１０４、及び車内用内臓脂肪情報作成部１９０３を備える。
【０１３９】
入力部１０２は、本発明の第２の実施の形態と同一である。また、出力部１０４も本発明の第２の実施の形態と同一である。
【０１４０】
車内用内臓脂肪情報作成部１９０３は、内臓脂肪年齢算出部１０７、実年齢との差算出部１０８、内臓脂肪肥満判定部１０９、内臓脂肪面積割合算出部１１４、全脂肪面積推定値算出部１９１３、及び、内臓脂肪面積推定値算出部１９１４を備える。
【０１４１】
全脂肪面積推定値算出部１９１３は、入力部１０２から入力されたユーザの腹囲から全脂肪面積推定値を算出する。内臓脂肪面積推定値算出部１９１４は、全脂肪面積推定値算出部１９１３で算出された全脂肪面積推定値を用いて、内臓脂肪面積推定値を算出する。内臓脂肪面積割合算出部１１４は、入力部１０２から入力されたユーザの皮下脂肪面積と、全脂肪面積推定値算出部１９１３で算出された全脂肪面積推定値とを用いて内臓脂肪面積割合を算出する。内臓脂肪年齢算出部１０７は、内臓脂肪面積割合算出部１１４で算出された内臓脂肪面積割合を内臓脂肪年齢算出式に代入し、内臓脂肪年齢を算出する。実年齢との差算出部１０８は、内臓脂肪年齢算出部１０７で算出された内臓脂肪年齢と、ユーザの実年齢との差を算出する。内臓脂肪肥満判定部１０９は、内臓脂肪面積推定値算出部１９１４で算出された内臓脂肪面積推定値に基づいて内臓脂肪肥満を判定する。車内用内臓脂肪情報作成部１９０３は、入力部１０２から入力された腹囲、年齢、皮下脂肪面積、算出された内臓脂肪面積推定値、算出された内臓脂肪年齢、算出された実年齢との差、内臓脂肪肥満判定結果を出力部１０４に表示する。
【０１４２】
車内用データベース１９０６は、脂肪推定式情報管理部１９２３を備える。
【０１４３】
脂肪推定式情報管理部１９２３は、脂肪推定式情報を管理する。
【０１４４】
図１８は、本発明の第３の実施の形態の脂肪推定式情報管理部１９２３が管理する脂肪推定式情報の一例を示す説明図である。
【０１４５】
脂肪推定式情報管理部１９２３は、内臓脂肪年齢算出式４０２、及び、全脂肪面積推定式２００３を管理する。これらは、内臓脂肪情報演算装置に予め設定されている。本発明の第３の実施の形態では、算出式を作成せずに、予め脂肪推定式情報管理部１９２３に管理されている推定式を用いて後述する処理を行う。
【０１４６】
前述した式を用いることによって、容易に計測できる腹囲と、赤外線や超音波等を用いた小型の測定装置で測定可能な皮下脂肪面積から内臓脂肪年齢を算出できる。
【０１４７】
以下、本発明の第３の実施の形態の内臓脂肪情報演算装置における一連の処理の流れについて説明する。
【０１４８】
図１９は、本発明の第３の実施の形態の内臓脂肪情報演算装置における処理の流れの一例を示すフローチャートである。
【０１４９】
車内用内臓脂肪情報演算端末１９０１が処理を開始する（２１０１）。
【０１５０】
ユーザ情報入力ステップ１９０２では、車内用内臓脂肪情報演算端末１９０１が、出力部１０４にユーザ情報を入力する画面を表示する。
【０１５１】
図２０は、本発明の第３の実施の形態の出力部１０４に表示される入力画面の一例を示す説明図である。
【０１５２】
車内用内臓脂肪情報演算端末１９０１は、出力部１０４にユーザ情報入力画面２２３０を表示する。ユーザ情報入力画面２２３０は、腹囲入力欄１６３１、皮下脂肪面積入力欄８３１、実年齢入力欄８３２、及びユーザ情報の入力を決定する実行ボタン８２１を表示する。
【０１５３】
車内用内臓脂肪情報演算端末１９０１は、ユーザに、メジャーで自分のへそ周りの周囲径を測定させ、入力部１０２から測定させた腹囲の値を腹囲入力欄１６３１に入力させる。そして、車内用内臓脂肪情報演算端末１９０１は、赤外線や超音波等を用いた小型の測定装置で皮下脂肪面積を測定させ、測定させた皮下脂肪面積を皮下脂肪面積入力欄８３１に入力させる。さらに、車内用内臓脂肪情報演算端末１９０１は、ユーザの年齢を実年齢入力欄８３２に入力させ、入力が終わったら、実行ボタン８２１を押させる。
【０１５４】
全脂肪面積推定値算出ステップ２１０３では、車内用内臓脂肪情報演算端末１９０１が、脂肪推定式情報管理部１９２３から全脂肪面積推定式２００３を取得する。次に、全脂肪面積推定値算出部１９１３が、ユーザ情報入力ステップ２１０２で入力された腹囲を、取得された全脂肪面積推定式２００３に代入し、全脂肪面積推定値を算出する。
【０１５５】
内臓脂肪面積推定値算出ステップ２１０４では、内臓脂肪面積推定値算出部１９１４が、全脂肪面積推定値算出部１９１３で算出された全脂肪面積推定値から、ユーザ情報入力ステップ２１０２で入力された皮下脂肪面積を引き、内臓脂肪面積推定値を算出する。
【０１５６】
内臓脂肪面積割合算出ステップ７０３では、内臓脂肪面積割合算出部１１４が、全脂肪面積推定値算出部１９１３で算出された全脂肪面積推定値とユーザ情報入力ステップ２１０２で入力された皮下脂肪面積とから内臓脂肪面積割合を算出する。
【０１５７】
内臓脂肪年齢算出ステップ７０４では、車内用内臓脂肪情報演算端末１９０１が、脂肪推定式情報管理部１９２３から内臓脂肪年齢算出式４０２を取得する。次に、内臓脂肪年齢算出部１０７は、内臓脂肪面積割合算出部１１４で算出された内臓脂肪面積割合を内臓脂肪年齢算出式４０２に代入し、内臓脂肪年齢を算出する。
【０１５８】
以上の全脂肪面積推定値算出ステップ２１０３、内臓脂肪面積割合算出ステップ７０３、内臓脂肪年齢算出ステップ７０４によって、容易に測定できる腹囲と、赤外線や超音波等を用いた小型の測定値で測定可能な皮下脂肪面積とから内臓脂肪年齢を算出できる。
【０１５９】
実年齢との差算出ステップ７０５では、実年齢との差算出部１０８が、内臓脂肪年齢算出部１０７で算出された内臓脂肪年齢とユーザ情報入力ステップ２１０２で入力された年齢との差を算出する。
【０１６０】
内臓脂肪肥満判定ステップ７０９では、内臓脂肪肥満判定部１０９が、内臓脂肪面積推定値算出部１９１４で算出された内臓脂肪面積推定値に基づいて、内臓脂肪肥満であるか否かを判定する。具体的には、内臓脂肪面積が１００ｃｍ2以上の場合、内臓脂肪肥満であると判定される。内臓脂肪面積が１００ｃｍ2未満の場合、内臓脂肪肥満でないと判定される。
【０１６１】
内臓脂肪情報表示ステップ１４１０では、車内用内臓脂肪情報作成部１９０３が、出力部１０４に内臓脂肪情報を表示する。表示方法としては、第１の実施の形態と同様の方法が考えられる。この場合、内臓脂肪情報表示画面８０１に、腹囲、年齢、皮下脂肪面積、算出された内臓脂肪面積推定値、内臓脂肪年齢、実年齢との差、及び、内臓脂肪型肥満判定結果を表示することが考えられる。表示が終わると、処理を終了（２１１１）する。
【０１６２】
第３の実施の形態では、脂肪推定式情報管理部１９２３が管理する全脂肪面積推定式を用いて、全脂肪面積推定値を算出したが、作成された全脂肪面積推定式を用いてもよい。
【０１６３】
具体的には、車内用データベース１９０６はユーザごとに健診情報を管理する健診情報管理部１２０を備え、車内用内臓脂肪情報作成手段１９０３は全脂肪面積推定式を作成する全脂肪面積推定式作成部を備え、車内用内臓脂肪情報演算端末１９０１は内臓脂肪面積と皮下脂肪面積とを足し合わせて全脂肪面積を算出する全脂肪面積算出部１１０を備えており、全脂肪面積推定式作成部が健診情報と全脂肪面積算出部１１０で算出された全脂肪面積とを用いてを作成し、作成された式を脂肪推定式情報管理部１９２３に格納する。
【０１６４】
具体的な全脂肪面積推定式の算出方法としては、例えば、全脂肪面積推定式作成部が、健診情報内の複数の腹囲２０８の情報と、全脂肪面積算出部１１０で算出された複数の全脂肪面積の情報とを用いて、全脂肪面積を目的変数とし、腹囲を説明変数として回帰分析を行い、全脂肪面積推定式（推定全脂肪面積＝Ｐ×腹囲＋Ｑ）を作成する。ただし、Ｐ及びＱは、任意の定数である。
【０１６５】
以上に示したように、本発明の第３の実施の形態の内臓脂肪情報演算装置は、容易に計測できる腹囲と、赤外線や超音波等を用いた小型の測定値で計測可能な皮下脂肪面積から内臓脂肪年齢を算出し、算出された内臓脂肪年齢を表示するので、家庭内や車内で容易に内臓脂肪蓄積状態を把握でき、効果的に健康を管理できる。
【０１６６】
本発明の第３の実施の形態のでは、内臓脂肪情報演算装置は、ユーザに、赤外線や超音波等を用いた小型の測定値で皮下脂肪面積を測定させ、タッチパネル等でユーザ情報入力画面２２３０に入力させたが、赤外線や超音波等を用いた小型の測定値を本発明の内臓脂肪情報演算装置につないで自動的に入力されてもよい。これによって、ユーザが入力する手間を省くことができる。
【０１６７】
また、本発明の第３の実施の形態では、内臓脂肪情報演算装置は、ユーザに、メジャー等で腹囲を計測され、計測された腹囲を入力させていたが、シートベルトを利用した腹囲測定装置を本発明の内臓脂肪情報演算装置につなげて、自動入力させてもよい。このようにすることで、ユーザが入力する手間を省くことができる。
【図面の簡単な説明】
【０１６８】
【図１】本発明の第１の実施の形態の内臓脂肪情報演算装置の構成の一例を示すブロック図である。
【図２】本発明の第１の実施の形態の健診情報管理部によって管理される健診情報の一例を示す図である。
【図３】本発明の第１の実施の形態の内臓脂肪情報演算装置における処理の流れを示すシーケンス図である。
【図４】本発明の第１の実施の形態における、データベースから取得した健診情報を用いて内臓脂肪年齢算出式を作成する処理の流れの一例を示すフローチャートである。
【図５】本発明の第１の実施の形態の回帰係数管理部が管理する回帰係数情報の一例を示す説明図である。
【図６】本発明の第１の実施の形態の算出式情報管理部が管理する算出式情報の一例を示す説明図である。
【図７】本発明の第１の実施の形態における、入力部からユーザ情報が入力され、内臓脂肪情報が表示されるまでの処理の流れの一例を示すフローチャートである。
【図８】本発明の第１の実施の形態の出力部に表示される入力画面の一例を示す説明図である。
【図９】本発明の第１の実施の形態の内臓脂肪情報管理部によって管理される内臓脂肪情報の一例を示す図である。
【図１０】本発明の第１の実施の形態の出力部に表示される内臓脂肪情報の一例を示す説明図である。
【図１１】本発明の第２の実施の形態の内臓脂肪情報演算装置の構成の一例を示すブロック図である。
【図１２】本発明の第２の実施の形態の推定式情報管理部が管理する推定式情報の一例を示す説明図である。
【図１３】図１３は、本発明の第２の実施の形態における、ユーザ情報の入力から内臓脂肪情報表示までの処理の流れを示すフローチャートである。
【図１４】本発明の第２の実施の形態の出力部に表示される入力画面の一例を示す説明図である。
【図１５】本発明の第２の実施の形態の車内用データベースが管理する内臓脂肪情報の一例を示す説明図である。
【図１６】本発明の第２の実施の形態の内臓脂肪情報推移表示画面の一例を示す説明図である。
【図１７】本発明の第３の実施の形態の内臓脂肪情報演算装置の構成の一例を示す図である。
【図１８】本発明の第３の実施の形態の脂肪推定式情報管理部が管理する脂肪推定式情報の一例を示す説明図である。
【図１９】本発明の第３の実施の形態の内臓脂肪情報演算装置における処理の流れの一例を示すフローチャートである。
【図２０】本発明の第３の実施の形態の出力部に表示される入力画面の一例を示す説明図である。
【符号の説明】
【０１６９】
１０１  内臓脂肪情報演算端末
１０２  入力部
１０３  内臓脂肪情報作成部
１０４  出力部
１０５  算出式作成部
１０６  データベース
１０７  内臓脂肪年齢算出部
１０８  実年齢との差算出部
１０９  内臓脂肪肥満判定部
１１０  全脂肪面積算出部
１１１  回帰係数算出部
１１２  近似式作成部
１１４  内臓脂肪面積割合算出部
１１５  年齢区分編集部
１２０  健診情報管理部
１２２  回帰係数管理部
１２３  算出式情報管理部
１２５  内臓脂肪情報管理部
２０１  健診ＩＤ
２０２  個人ＩＤ
２０３  受診日
２０４  性別
２０５  年齢
２０６  体重
２０７  身長
２０８  腹囲
２０９  体脂肪率
２１０  空腹時血糖
２１１  最高血圧
２１２  ＢＭＩ
２１３  内臓脂肪面積
２１４  皮下脂肪面積
３０１  年齢の区分
３０２  年齢の平均
３０３  全脂肪面積の回帰係数
３１０〜３１８  回帰係数情報の値
４０１  近似式
４０２  内臓脂肪年齢算出式
５０２  全脂肪面積算出ステップ
５０３  回帰係数算出ステップ
５０４  近似式作成ステップ
５０５  内臓脂肪年齢算出式作成ステップ
６００  年齢
６０１  内臓脂肪年齢
６０２  実年齢との差
６０３  内臓脂肪肥満判定
６０４  内臓脂肪面積
６０５  皮下脂肪面積
７０２  ユーザ情報入力ステップ
７０３  内臓脂肪面積割合算出ステップ
７０４  内臓脂肪年齢算出ステップ
７０５  実年齢との差算出ステップ
７０９  内臓脂肪肥満判定ステップ
７１０  内臓脂肪情報表示ステップ
８０１  内臓脂肪情報表示画面
８０２  内臓脂肪画像
８０３  皮下脂肪画像
８０４  腹部画像
８１０  内臓脂肪面積表示欄
８１１  皮下脂肪面積表示欄
８１２  実年齢表示欄
８１３  内臓脂肪年齢表示欄
８１４  実年齢との差表示欄
８１５  内臓脂肪型肥満判定結果表示欄
８２０  ユーザ情報入力画面
８２１  実行ボタン
８３０  内臓脂肪面積入力欄
８３１  皮下脂肪面積入力欄
８３２  実年齢入力欄
９０３  健診情報取得
９０６  回帰係数情報登録
９０７  回帰係数情報取得
９０８  算出式情報登録
９１０  算出式情報取得
９１１  内臓脂肪情報登録
９１２  内臓脂肪情報表示
１１０１  車内用内臓脂肪情報演算端末
１１０３  車内用内臓脂肪情報作成部
１１０６  車内用データベース
１１１３  腹部脂肪面積推定値算出部
１１２３  推定式情報管理部
１１２５  内臓脂肪情報推移管理部
１２０３  内臓脂肪面積推定式
１２０４  皮下脂肪面積推定式
１３０４  内臓脂肪面積推定値
１３０５  皮下脂肪面積推定値
１３０６  入力日
１３０７  腹囲
１４０２  ユーザ情報入力ステップ
１４０３  内臓・皮下脂肪面積推定値算出ステップ
１４１０  内臓脂肪情報表示ステップ
１６０１  内臓脂肪情報表示画面
１６０２  内臓脂肪面積の大きさを示す画像
１６０３  皮下脂肪面積の大きさを示す画像
１６１０  内臓脂肪面積推定値表示欄
１６１１  皮下脂肪面積推定値表示欄
１６１６  腹囲表示欄
１６２０  推移画面遷移ボタン
１６３０  ユーザ情報入力画面
１６３１  腹囲入力欄
１８００  内臓脂肪情報推移表示画面
１８０１  腹囲を示す軸
１８０２  腹囲の日々の変化を示す折れ線グラフ
１８１０  内臓脂肪面積推定値を示す軸
１８０３  内臓脂肪面積推定値の日々の変化を示す折れ線グラフ
１８１８  内臓脂肪型肥満判定基準値を示す線
１８２０  内臓脂肪年齢を示す軸
１８０４  内臓脂肪年齢の日々の変化を示す折れ線グラフ
１８２８  ユーザの実年齢を示す線
１８３０〜１８３２  入力日を示す軸
１９０１  車内用内臓脂肪情報演算端末
１９０３  車内用内臓脂肪情報作成部
１９０６  車内用データベース
１９１３  全脂肪面積推定値算出部
１９１４  内臓脂肪面積推定値算出部
１９２３  脂肪推定式情報管理部
２００３  全脂肪面積推定式
２１０２  ユーザ情報入力ステップ
２１０３  全脂肪面積推定値算出ステップ
２１０４  内臓脂肪面積推定値算出ステップ
２２３０  ユーザ情報入力画面
【図１】
2010029547.tif 000004
【図２】
2010029547.tif 000005
【図３】
2010029547.tif 000006
【図４】
2010029547.tif 000007
【図５】
2010029547.tif 000008
【図６】
2010029547.tif 000009
【図７】
2010029547.tif 000010
【図８】
2010029547.tif 000011
【図９】
2010029547.tif 000012
【図１０】
2010029547.tif 000013
【図１１】
2010029547.tif 000014
【図１２】
2010029547.tif 000015
【図１３】
2010029547.tif 000016
【図１４】
2010029547.tif 000017
【図１５】
2010029547.tif 000018
【図１６】
2010029547.tif 000019
【図１７】
2010029547.tif 000020
【図１８】
2010029547.tif 000021
【図１９】
2010029547.tif 000022
【図２０】
2010029547.tif 000023